(57)【要約】【課題】ウェブブラウザの強制終了ボタンによる強制終了時のデータ整合性を維持すること。【解決手段】画面終了機能プラグイン１８に、強制終了ボタン１２又は業務終了ボタン１３が操作されたことを実行確認フラグとして記録する機能と、強制終了ボタン１２又は業務終了ボタン１３が操作されたとき、処理終了リクエストと表示中の画面情報と前記実行確認フラグとを業務処理ソフトウェア２１に送信する機能を設け、この業務処理ソフトウェアに、受信した実行確認フラグが強制終了ボタンが操作されたことを示す値のとき、画面終了機能プラグイン１８から受信した画面情報をウェブブラウザ１９により再示させる機能を設けたウェブブラウザを用いたソフトウェアの終了方法。【選択図】図１
2011141851.tif 000002
【特許請求の範囲】
【請求項１】
表示部に表示する画面表示を強制終了させる強制終了ボタンと業務処理ソフトウェアの制御に基づく画面表示に遷移させる画面遷移ボタンとを表示部に表示するウェブブラウザと、前記強制終了ボタン又は前記画面遷移ボタンが操作されたことを実行確認フラグの値として記録する機能及び前記強制終了ボタン又は前記画面遷移ボタンが操作されたときに処理終了リクエストと表示中の画面情報と前記実行確認フラグとを前記業務処理ソフトウェアに送信する機能を有する画面終了機能プラグインとを備えたコンピュータの業務処理ソフトウェアの終了方法であって、前記業務処理ソフトウェアが、前記画面終了機能プラグインから受信した前記実行確認フラグが前記強制終了ボタンが操作されたことを示す値のとき、前記画面終了機能プラグインから受信した前記画面情報を前記ウェブブラウザにより前記コンピュータの前記表示部に表示させる工程を実行する業務処理ソフトウェアの終了方法。
【請求項２】
前記業務処理ソフトウェアが、前記画面終了機能プラグインから受信した前記実行確認フラグが前記画面遷移ボタンが操作されたことを示す値のとき、前記画面遷移ボタンに応じて業務処理された遷移画面情報を前記ウェブブラウザにより前記表示部に表示させる工程を実行する請求項１記載の業務処理ソフトウェアの終了方法。
【請求項３】
前記業務処理ソフトウェアが、前記画面遷移ボタンが業務処理の業務終了ボタンのとき、業務処理を終了させる工程を実行する請求項２記載の業務処理ソフトウェアの終了方法。
【請求項４】
前記画面遷移ボタンが業務処理の前進ボタンのとき、前記業務処理ソフトウェアが、業務処理を前進させる工程を実行する請求項２又は３記載の業務処理ソフトウェアの終了方法。
【請求項５】
前記画面遷移ボタンが前記業務処理の後退ボタンのとき、前記業務処理ソフトウェアが、業務処理を後退させる工程を実行する請求項２又は３記載の業務処理ソフトウェアの終了方法。
【請求項６】
前記ウェブブラウザ及び前記画面終了機能プラグインが端末の前記ソフトウェアに搭載され、前記業務処理ソフトウェアが前記端末と通信網を介して接続されるアプリケーションサーバに搭載されるネットワーク型コンピュータシステムである前記請求項１から５いずれかに記載の業務処理ソフトウェアの終了方法。
【請求項７】
前記ウェブブラウザと前記画面終了機能プラグインと前記業務処理ソフトウェアとが１台のコンピュータに搭載されるスタンドアローン型である前記請求項１から５いずれかに記載の業務処理ソフトウェアの終了方法。
【請求項８】
表示部に表示する画面表示を強制終了させる強制終了ボタンと業務処理ソフトウェアの制御に基づく画面表示に遷移させる画面遷移ボタンとを表示するウェブブラウザと、前記ウェブブラウザの画面表示を終了するときに動作する画面終了機能プラグインとを備えるコンピュータの業務処理ソフトウェアの終了システムであって、前記強制終了ボタン又は前記画面遷移ボタンが操作されたことを実行確認フラグの値として記録する機能及び前記強制終了ボタン又は前記画面遷移ボタンが操作されたときに処理終了リクエストと表示中の画面情報と前記実行確認フラグとを前記業務処理ソフトウェアに送信する機能を有する画面終了機能プラグインと、前記画面終了機能プラグインから受信した前記実行確認フラグが前記強制終了ボタンが操作されたことを示す値のときに前記画面終了機能プラグインから受信した前記画面情報をウェブブラウザによりコンピュータの表示部に表示させる機能を有する業務処理ソフトウェアとを備えた業務処理ソフトウェアの終了システム。
【請求項９】
前記業務処理ソフトウェアに、前記画面終了機能プラグインから受信した前記実行確認フラグが前記画面遷移ボタンが操作されたことを示す値のとき、前記画面遷移ボタンに応じて業務処理された遷移画面情報をウェブブラウザにより前記コンピュータの前記表示部に表示させる機能を設けた請求項８記載の業務処理ソフトウェアの終了システム。
【請求項１０】
前記業務処理ソフトウェアに、前記画面遷移ボタンが業務処理の終了ボタンのとき、業務処理の終了動作を実行させる請求項９記載の業務処理ソフトウェアの終了システム。
【請求項１１】
前記業務処理ソフトウェアに、前記画面遷移ボタンが業務処理の前進ボタンのとき、業務処理を前進する処理を実行させる請求項９又は１０記載の業務処理ソフトウェアの終了システム。
【請求項１２】
前記業務処理ソフトウェアに、前記画面遷移ボタンが業務処理の後退ボタンのとき、業務処理を後退する処理を実行させる請求項９又は１０記載の業務処理ソフトウェアの終了システム。
【請求項１３】
前記ウェブブラウザ及び前記画面終了機能プラグインが端末のソフトウェアに搭載され、前記業務処理ソフトウェアが前記端末と通信網を介して接続されるアプリケーションサーバに搭載されるネットワーク型コンピュータシステムである前記請求項８から１２いずれかに記載の業務処理ソフトウェアの終了システム。
【請求項１４】
前記ウェブブラウザと前記画面終了機能プラグインと前記業務処理ソフトウェアが１台のコンピュータに搭載されるスタンドアローン型である前記請求項８から１２いずれかに記載の業務処理ソフトウェアの終了システム。
【発明の詳細な説明】
【技術分野】
【０００１】
本発明は、ハイパーテキストマークアップ言語（以下、ＨＴＭＬ言語という。）を基に画面を表示するウェブブラウザを用いたソフトウェアの終了方法及びウェブブラウザを用いたソフトウェアの終了システムに係り、特に業務処理ソフトウェアを終了する際のデータの整合性を保つことができるウェブブラウザを用いたソフトウェアの終了方法及びウェブブラウザを用いたソフトウェアの終了システムに関する。
【背景技術】
【０００２】
近年のコンピュータにおけるソフトウェアは、利用者が操作するコンピュータの画面表示にウェブブラウザと呼ばれるソフトウェアを使用しており、このウェブブラウザが表示する複数の操作画面を用いて各種データ入力や操作を行うことができる。このウェブブラウザは、表示画面を強制的に終了させることが可能な画面強制終了ボタン（「×」印のボタン）が標準搭載されており、この画面強制終了ボタンが業務システムのソフトウェア使用時にクリックされた場合、正常終了用に用意された業務終了ボタンをクリックせずに画面が閉じられてしまうため、業務システムとしての正常な終了処理が実行されず、業務システムを提供するサーバ内に不要データが残存し、業務システムとしての整合性が崩れる可能性がある。
【０００３】
この業務システムの正常な終了処理を実行させるための技術として、全ての表示画面にログアウトボタンを表示させる技術が特許文献１に開示されている。
【先行技術文献】
【特許文献】
【０００４】
【特許文献１】特開２００３−９９３９９号公報
【発明の概要】
【発明が解決しようとする課題】
【０００５】
前述の特許文献１記載の技術は、全ての表示画面にログアウトボタンを表示させることによって利用者の誤操作による画面強制終了ボタンによる強制終了の可能性を低減することができるものの、この画面強制終了ボタンがウェブブラウザ上で利用可能なプログラム言語であるジャバスプリクト［Ｊａｖａ（登録商標）Ｓｃｒｉｐｔ］やＨＴＭＬ言語を利用しても抑止することができずに画面上に表示されるため、利用者が誤って「画面強制終了ボタン」を操作（クリック）してしまう可能性があるという課題があった。
【０００６】
この課題を図４を参照して具体的に説明する。例えば、従来技術においては、データやプログラムを格納する一時テーブル及び制御テーブルを格納したデータベースサーバ３０ａと、このデータベースサーバ３０ａに格納したデータを業務処理ソフトウェアを用いて制御するアプリケーションサーバ２０ａと、このアプリケーションサーバ２０ａと公衆通信回線網を介して接続され、業務処理ソフトウェアを操作する端末１０ａとから構成されるコンピータシステムにおいて、前記端末１０ａのウェブブラウザ画面に「更新データ１」と「更新データ２」と「更新データ３」と「業務終了ボタン１３ａ」とが表示され、業務処理ソフトウェアが、いずれかのボタンのクリックによるリクエストを受信したとき、このリクエストに応じた表示情報を端末１０ａの表示部に表示した状態において、画面強制終了ボタン１２ａがクリックされた場合、一定時間経過後に消去されるセッションデータ消去をトリガーとして一時テーブルに格納した不要データを削除処理を実行するが、その間にアクセス処理が発生した場合、ログインが不能になる課題や、ウェブブラウザ画面１１ａにより入力した各更新データがアプリケーションサーバ２０ａ側に送信されないため、再度のデータ入力を行う必要があるという課題があった。
【０００７】
本発明の目的は、前述の従来技術による課題を解決することであり、ウェブブラウザの画面強制終了ボタンが操作された場合であっても、データ整合性を維持することができるウェブブラウザを用いたソフトウェアの終了方法及びウェブブラウザを用いたソフトウェアの終了システムを提供することである。
【課題を解決するための手段】
【０００８】
前記目的を達成するために請求項１記載の発明は、画面表示を強制終了させる強制終了ボタンと業務処理ソフトウェアの制御に基づく画面表示に遷移させる画面遷移ボタンとを表示部に表示するウェブブラウザと、前記強制終了ボタン又は画面遷移ボタンが操作されたことを実行確認フラグの値として記録する機能及び前記強制終了ボタン又は前記画面遷移ボタンが操作されたときに処理終了リクエストと表示中の画面情報と前記実行確認フラグとを前記業務処理ソフトウェアに送信する機能を有する画面終了機能プラグインとを備えたコンピュータの業務処理ソフトウェアの終了方法であって、前記業務処理ソフトウェアが、前記画面終了機能プラグインから受信した前記実行確認フラグが前記強制終了ボタンが操作されたことを示す値のとき、前記画面終了機能プラグインから受信した画面情報を前記ウェブブラウザにより前記コンピュータの前記表示部に表示させる工程を実行することを特徴とする。
【０００９】
請求項２記載の発明は、前記第１の特徴の業務処理ソフトウェアの終了方法において、前記業務処理ソフトウェアが、前記画面終了機能プラグインから受信した実行確認フラグが前記画面遷移ボタンが操作されたことを示す値のとき、前記画面遷移ボタンに応じて業務処理された遷移画面情報を前記ウェブブラウザにより前記表示部に表示させる工程を実行することを特徴とする。
【００１０】
請求項３記載の発明は、前記第２の特徴の業務処理ソフトウェアの終了方法において、前記業務処理ソフトウェアが、前記画面遷移ボタンが業務処理の業務終了ボタンのとき、業務処理を終了させる工程を実行することを特徴とする。
【００１１】
請求項４記載の発明は、前記第２又は第３の特徴の業務処理ソフトウェアの終了方法において、前記画面遷移ボタンが業務処理の前進ボタンのとき、前記業務処理ソフトウェアが、業務処理を前進させる工程を実行することを特徴とする。
【００１２】
請求項５記載の発明は、前記第２又は第３の特徴の業務処理ソフトウェアの終了方法において、前記画面遷移ボタンが前記業務処理の後退ボタンのとき、前記業務処理ソフトウェアが、業務処理を後退させる工程を実行することを特徴とする。
【００１３】
請求項６記載の発明は、前記第１から第５いずれかの特徴の業務処理ソフトウェアの終了方法において、前記ウェブブラウザ及び前記画面終了機能プラグインが端末のソフトウェアに搭載され、前記業務処理ソフトウェアが前記端末と通信回線網を介して接続されるアプリケーションサーバに搭載されるネットワーク型コンピュータシステムであることを特徴とする。
【００１４】
請求項７記載の発明は、前記第１から第５いずれかの特徴の業務処理ソフトウェアの終了方法において、前記ウェブブラウザと前記画面終了機能プラグインと業務処理ソフトウェアが１台のコンピュータに搭載されるスタンドアローン型であることを特徴とする。
【００１５】
請求項８記載の発明は、表示部に表示する画面表示を強制終了させる強制終了ボタンと業務処理ソフトウェアの制御に基づく画面表示に遷移させる画面遷移ボタンとを表示するウェブブラウザと、前記ウェブブラウザの画面表示を終了するときに動作する画面終了機能プラグインとを備えるコンピュータの業務処理ソフトウェアの終了システムであって、前記強制終了ボタン又は前記画面遷移ボタンが操作されたことを実行確認フラグの値として記録する機能及び前記強制終了ボタン又は前記画面遷移ボタンが操作されたときに処理終了リクエストと表示中の画面情報と前記実行確認フラグとを前記業務処理ソフトウェアに送信する機能を有する画面終了機能プラグインと、前記画面終了機能プラグインから受信した前記実行確認フラグが前記強制終了ボタンが操作されたことを示す値のときに前記画面終了機能プラグインから受信した前記画面情報をウェブブラウザによりコンピュータの表示部に表示させる機能を有する業務処理ソフトウェアとを備えたことを特徴とする。
【００１６】
請求項９記載の発明は、前記請求項８記載の業務処理ソフトウェアの終了システムにおいて、前記業務処理ソフトウェアに、前記画面終了機能プラグインから受信した前記実行確認フラグが前記画面遷移ボタンが操作されたことを示す値のとき、前記画面遷移ボタンに応じて業務処理された遷移画面情報をウェブブラウザにより前記コンピュータの前記表示部に表示させる機能を設けたことを特徴とする。
【００１７】
請求項１０記載の発明は、前記請求項８記載の業務処理ソフトウェアの終了システムにおいて、前記業務処理ソフトウェアに、前記画面遷移ボタンが業務終了ボタンのとき、業務処理の終了動作を実行させることを特徴とする。
【００１８】
請求項１１記載の発明は、前記請求項９又は１０記載の業務処理ソフトウェアの終了システムにおいて、前記業務処理ソフトウェアに、前記画面遷移ボタンが業務処理の前進ボタンのとき、業務処理を前進する処理を実行させることを特徴とする。
【００１９】
請求項１１記載の発明は、前記請求項８記載の業務処理ソフトウェアの終了システムにおいて、前記業務処理ソフトウェアに、前記画面遷移ボタンが業務処理の後退ボタンのとき、業務処理を後退する処理を実行させることを特徴とする。
【００２０】
請求項１２記載の発明は、前記請求項８から１１いずれかに記載の業務処理ソフトウェアの終了システムにおいて、前記ウェブブラウザ及び前記画面終了機能プラグインが端末のソフトウェアに搭載され、前記業務処理ソフトウェアが前記端末と通信回線網を介して接続されるアプリケーションサーバに搭載されるネットワーク型コンピュータシステムであることを特徴とする。
【００２１】
請求項１３記載の発明は、前記請求項８から１１いずれかに記載の業務処理ソフトウェアの終了システムにおいて、前記ウェブブラウザと画面終了機能プラグインと前記業務処理ソフトウェアが１台のコンピュータに搭載されるスタンドアローン型であることを特徴とする。
【発明の効果】
【００２２】
本発明によるウェブブラウザを用いたソフトウェアの終了方法及びウェブブラウザを用いたソフトウェアの終了システムは、前記画面終了機能プラグインに、強制終了ボタン又は画面遷移ボタンが操作されたことを実行確認フラグの値として記録する機能と、前記強制終了ボタン又は画面遷移ボタンが操作されたとき、処理終了リクエストと表示中の画面情報と実行確認フラグとを前記業務処理ソフトウェアに送信する機能を設け、業務処理ソフトウェアに、受信した実行確認フラグが強制終了ボタンが操作されたことを示す値のとき、前記画面終了機能プラグインから受信した画面情報をウェブブラウザによりコンピュータの表示部に表示させる機能を備えることによって、ウェブブラウザの画面強制終了ボタンが誤操作された場合であっても、データ整合性を維持することができる。
【図面の簡単な説明】
【００２３】
【図１】本発明によるソフトウェア終了方法の一実施形態を説明するための図
【図２】本発明の実施形態によるソフトウェア終了方法の処理フロー図
【図３】本発明の実施形態によるソフトウェア終了方法の処理フロー図
【図４】従来技術によるソフトウェア終了方法を説明するための図
【発明を実施するための形態】
【００２４】
以下、本発明によるウェブブラウザを用いたソフトウェアの終了方法を行うソフトウェアの終了システムを図面を参照して説明する。
本実施形態によるソフトウェアの終了方法が適用されるコンピュータシステムは、図１に示す如く、一時テーブル部３１及び制御テーブル部３２を格納したデータベースサーバ３０と、このデータベースサーバ３０に格納したデータを業務処理ソフトウェア２１を用いて制御するアプリケーションサーバ２０と、このアプリケーションサーバ２０と通信網４０を介して接続され、業務処理ソフトウェア２１を操作する端末１０とから構成され、前記端末１０が、制御部１７の制御によってプラグインソフトウェア１８が付加されたウェブブラウザ１９によりブラウザ画面１１をディスプレイ上に表示し、前記ブラウザ画面１１に表示された複数の更新データ入力領域１４と画面遷移を示す業務終了ボタン１３とブラウザ画面１１を強制的に閉じるための画面強制終了ボタン１２とを用い、アプリケーションサーバ２０の業務処理ソフトウェア２１による処理を行うように構成される。なお、前記端末１０及びアプリケーションサーバ２０は、制御部とメモリと記憶部と表示部と各種インタフェース他とを含むコンピュータである。
【００２５】
前記プラグインソフトウェア１８とは、コンピュータの画面表示を行うウェブブラウザ（画面表示用のソフトウェア）に機能を追加するために設けられたものであって、特に本実施形態においては、ブラウザ画面１１の画面終了機能を追加するためのものである。本実施形態によるプラグインソフトウェア１８は、端末１０のメモリ上に後述する実行確認フラグの格納領域を用意し、この実行確認フラグに値「０」又は「１」のフラグを格納する。また、ブラウザ１９は、同時に複数の画面表示を制御する機能を有する。
【００２６】
本実施形態によるコンピュータシステムにおいて、画面強制終了ボタン１２がクリックされた場合、本ソフトウェアの終了方法は、端末１０のプログラムが画面を閉じる前に、画面内の各項目に入力された画面表示情報と再表示リクエストをアプリケーションサーバ２０に送信し、これら情報を受信したアプリケーションサーバ２０の業務処理ソフトウェア２１が受信した画面表示情報を端末１０に返信し、画面強制終了ボタン１２がクリックされても画面が再表示され、業務終了ボタン１３等の状態遷移ボタンがクリックされたときのみに正常終了するように構成することによって、データ整合性を維持した正常終了を行うことができる。
【００２７】
このように構成したコンピュータシステムのソフトウェアの終了方法の動作を図２及び図３を参照して説明する。このソフトウェアの終了方法は、図２に示す如く、プラグインソフトウェア１８の画面終了制御機能が実行確認フラグを「０」に設定するステップＳ０１と、業務処理ソフトウェア２１の指示による画面表示を行うステップＳ０２と、この表示した画面の業務終了ボタン１３がクリックされたか否かを判定するステップＳ０３と、このステップＳ０３において業務終了ボタン１３がクリックされたと判定したとき、実行確認フラグに「１」を設定するステップＳ０５と、前記ステップＳ０３において業務終了ボタン１３がクリックされていないと判定したとき、画面強制終了ボタン１２がクリックされたか否かを判定し、クリックされていないと判定したときにステップＳ０３に戻るステップＳ０４と、前記ステップＳ０５に続くか又は前記ステップＳ０４において画面強制終了ボタン１２がクリックされたと判定したとき、画面の終了イベントが発生したことを検出するステップＳ０６と、実行確認フラグが「１」か否かを判定するステップＳ０７とを実行する。
【００２８】
次いで本ソフトウェアの終了方法は、前記ステップＳ０７において実行確認フラグが「１」と判定したとき、アプリケーションサーバ２０に対して、（１）処理終了リクエストと（２）表示画面データと（３）実行確認フラグの設定値とを送信するステップＳ１０と、前記ステップＳ０７において実行確認フラグが「１」でない（画面強制終了ボタン１２のクリックによる終了）と判定したとき、新規なブラウザ画面を生成するステップＳ０８と、このステップＳ０８に続き、アプリケーションサーバ２０に対して、（１）処理終了リクエストと（２）表示画面データと（３）実行確認フラグの設定値とを送信するステップＳ０９とを実行する。
【００２９】
即ち、本実施形態によるウェブブラウザを用いたソフトウェアの終了方法は、画面終了のリクエストが業務終了ボタン１３による正常な終了か画面強制終了ボタン１２による不正終了かに応じて実行確認フラグの値を設定し、この実行確認フラグ値と表示画面データと処理終了リクエストとをアプリケーションサーバ２０の業務処理ソフトウェア２１に送信するように動作する。
【００３０】
次いで、本実施形態によるソフトウェアの終了方法は、図３に示す如く、アプリケーションサーバ２０の業務処理ソフトウェア２１が、受け付けたリクエストの処理を実行するステップＳ１２と、受信した業務処理の内容（「業務終了」「前進処理」「後退処理」）を識別するステップＳ１３と、このステップＳ１３において、「前進処理」又は「後退処理」と判定したとき、この業務処理を実行し、リクエストを受けたブラウザ画面に前記業務処理の前進又は後退に応じた表示画面情報を端末１０に送信するステップＳ１５と、この表示画面情報を端末１０の表示部に表示するステップＳ２０と、前記ステップＳ１３において処理内容が「終了処理」と識別したとき、実行確認フラグ値が「１」か否かを判定するステップＳ１４と、このステップＳ１４において、前記実行確認フラグ値が「１」（正常終了）と判定したとき、処理中の業務処理の終了を行い、リクエストを受けたブラウザ画面宛に表示画面情報を送信するステップＳ１７と、このステップＳ１７に続いて終了処理を実行した既存のブラウザ画面を閉じる処理を実行するステップＳ１８と、前記ステップＳ１４において、実行確認フラグ値が「１」でない（強制終了ボタン１２による不正終了）と判定したとき、前記ステップＳ０９により受信したブラウザ画面情報に基づいて受信画面と同一の再表示用の表示画面情報を生成し、この再表示用の表示画面情報をリクエストを受けたブラウザ画面宛に送信するステップＳ１６と、このステップＳ１６により受信した再表示用の表示画面情報を表示部に表示するステップＳ１９と、前記ステップＳ２０とステップＳ１９とステップＳ１８に続き、操作者の次の命令を待つステップＳ２１とを実行する。
【００３１】
これら一連の処理によって本実施形態によるソフトウェアの終了方法は、画面強制終了ボタン１が不正にクリックされた場合、端末１０の表示画面を閉じる前に、画面内の各項目に入力された表示画面情報と再表示リクエストをアプリケーションサーバ２０に送信し、これら情報を受信したアプリケーションサーバ２０の業務処理ソフトウェア２１が受信した表示画面情報を端末１０に返信して画面を再表示し、業務終了ボタン１３等の状態遷移ボタンがクリックされたときのみに正常終了するように動作し、データ整合性を維持した正常終了を行うことができる。このため本実施形態においては、例えば使用中のユーザ名を登録して業務処理を行う業務処理ソフトウェアにおいて、画面強制終了ボタンのクリックによって使用中ユーザ登録を解除せずに処理を終了し、このユーザ名による業務処理ソフトウェアの再起動を行うことができないことを防止することができる。
【００３２】
なお、前述の実施形態においては、状態遷移ボタンの例として業務終了ボタン１３を説明したが、状態遷移ボタンの他の例としては「前進ボタン」「後退ボタン」「スキップボタン」その他、業務処理ソフトウェアの設計に応じた多種のボタンが有り、本発明は、これらボタンに本発明を適用することによって、画面強制終了ボタンがクリックされた場合であっても、前記実施形態同様にデータ整合性を維持した正常終了を行うことができる。また、前記実施形態においては、アプリケーションサーバと端末が接続されたネットワーク型のコンピュータシステムを例にとって説明したが、１台のコンピュータにウェブブラウザとプラグインと業務処理ソフトウェアとを搭載するスタンドアローン形のコンピュータの終了処理にも本発明を適用することができる。
【００３３】
また、前記実施形態においては企業等で使用される業務処理ソフトウェアの終了について説明したが、一般のパーソナルコンピュータに搭載される文書作成及び表計算その他のソフトウェアやゲーム処理を行うソフトウェアの終了処理にも使用することができる。更に、前記実施形態においては、画面強制終了ボタンがクリックされたとき、業務処理ソフトウェアの処理を終了させずに元の表示画面を再表示させる例を説明したが、画面強制終了ボタンが操作されたときに不正終了操作であることを警告する画面を表示させるように構成しても良い。更に、前記実施形態においては、プラグインソフトウェアによってブラウザが図２に示した動作を行うように説明したが、この動作をウェブブラウザ自体の機能として組み込むことによっても本発明を実施することができる。
【符号の説明】
【００３４】
１０  端末、１１  ブラウザ画面、１２  画面強制終了ボタン、１３  業務終了ボタン、１４  更新データ入力領域、１７  制御部、１８  プラグインソフトウェア、１９  ブラウザ、２０  アプリケーションサーバ、２１  業務処理プログラム、３０  データベースサーバ、４０  通信網
【図１】
2011141851.tif 000003
【図２】
2011141851.tif 000004
【図３】
2011141851.tif 000005
【図４】
2011141851.tif 000006